(57)【要約】  眼科外科手術システムは表示装置及びユーザインタフェースを含む。表示装置は、重なり合わない複数の表示セクターを含む表示を患者の眼の画像上に生成する。各表示セクターはユーザ選択可能な複数の手術パラメータのうちの一つを表示する。ユーザインタフェースは、ユーザ選択可能な手術パラメータのうちの表示されるべき一つ以上の手術パラメータのユーザ選択を受信する。
2013523409.tif 000002
【特許請求の範囲】
【請求項１】
眼科手術システムであって、
重なり合わない複数の表示セクターを含む表示を患者の眼の画像上に生成するように作動可能な表示装置であって、各表示セクターがユーザ選択可能な複数の手術パラメータのうちの一つを表示する、表示装置と、
前記ユーザ選択可能な手術パラメータのうちの表示されるべき一つ以上の手術パラメータのユーザ選択を受信するように作動可能なユーザインタフェースと
を具備する、眼科手術システム。
【請求項２】
前記表示が、トーリックレンズを整列させるためのターゲット軸線を更に含む、請求項１に記載のシステム。
【請求項３】
前記表示が切開ガイドを更に含む、請求項１に記載のシステム。
【請求項４】
前記ユーザ選択可能な手術パラメータが真空圧力を含む、請求項１に記載のシステム。
【請求項５】
前記ユーザ選択可能な手術パラメータが電力レベルを含む、請求項１に記載のシステム。
【請求項６】
前記ユーザ選択可能な手術パラメータがレーザ源の動作レベルを示す、請求項１に記載のシステム。
【請求項７】
前記ユーザ選択可能な手術パラメータのうちの少なくとも一つが可変ゲージとして表示される、請求項１に記載のシステム。
【請求項８】
前記可変ゲージがバブルゲージである、請求項７に記載のシステム。
【請求項９】
前記表示装置が点灯表示を表示する、請求項１に記載のシステム。
【請求項１０】
前記表示装置が手術用顕微鏡の光路において前記表示を投影する、請求項１に記載のシステム。
【請求項１１】
前記表示装置が前記患者の眼の上に前記表示を投影する、請求項１に記載のシステム。
【請求項１２】
眼科手術システム上に手術パラメータを表示する方法であって、
ユーザ選択可能な少なくとも二つの手術パラメータの選択を受信するステップと、
重なり合わない複数の表示セクターを含む表示を患者の眼の画像上に生成するステップであって、各表示セクターがユーザ選択可能な複数の手術パラメータのうちの一つを表示する、ステップと
を含む、方法。
【請求項１３】
前記ユーザに選択スクリーンを表示するステップを更に含む、請求項１２に記載の方法。
【請求項１４】
前記表示が、トーリックレンズを整列させるためのターゲット軸線を更に含む、請求項１２に記載の方法。
【請求項１５】
前記表示が切開ガイドを更に含む、請求項１２に記載の方法。
【請求項１６】
前記ユーザ選択可能な手術パラメータが真空圧力を含む、請求項１２に記載の方法。
【請求項１７】
前記ユーザ選択可能な手術パラメータが電力レベルを含む、請求項１２に記載の方法。
【請求項１８】
前記ユーザ選択可能な手術パラメータがレーザ源の動作レベルを示す、請求項１２に記載の方法。
【請求項１９】
前記ユーザ選択可能な手術パラメータのうちの少なくとも一つが可変ゲージとして表示される、請求項１２に記載の方法。
【請求項２０】
前記可変ゲージがバブルゲージである、請求項１９に記載の方法。
【請求項２１】
前記表示装置が点灯表示を表示する、請求項１２に記載の方法。
【請求項２２】
前記表示装置が手術用顕微鏡の光路において前記表示を投影する、請求項１２に記載の方法。
【請求項２３】
前記表示装置が前記患者の眼の上に前記表示を投影する、請求項１２に記載の方法。
【発明の詳細な説明】
【技術分野】
【０００１】
関連出願
本願は、２０１０年４月１４日に出願された米国仮特許出願シリアル番号６１／３２４０９６に対して、３５ＵＳＣ１１９の下、優先権を主張し、この出願内容は参照によって本明細書の一部を構成する。
【背景技術】
【０００２】
本願は、眼科手術装置に関し、特に、ユーザ選択可能なセクターを有する、眼科手術コンソールのための表示に関する。
【０００３】
眼科手術コンソールに様々な表示が提供されてきた。斯かる表示は、眼を観察するのに使用される手術用顕微鏡上に重ねられることが多い。あいにく、これら表示はいくつかの欠点を被ることが多い。最初に、表示は不便に設置されることが多く、このことは、外科医の眼の観察を不明瞭にし、且つ、表示内に提供された追加の情報と手術野の鮮明な視界との間のトレードオフを引き起こす。第二に、表示内に追加の情報を含むことによって、表示は込み入ったものとなり使用に適さなくなりうる。第三に、表示はリング形状のパターンを使用し且つ測定目盛を含むことが多い。斯かるパターンは、外科医がこれらを容易に使用するのに十分可視的ではなく、外科医の注意を逸らしうる。したがって、当該技術分野において、眼科手術コンソールのための改良された表示に対する要求が存在する。
【発明の概要】
【０００４】
本開示の第１態様によれば、眼科手術システムが表示装置及びユーザインタフェースを含む。表示装置は、重なり合わない複数の表示セクターを含む表示を患者の眼の画像上に生成する。各表示セクターはユーザ選択可能な複数の手術パラメータのうちの一つを表示する。ユーザインタフェースは、ユーザ選択可能な手術パラメータのうちの表示されるべき一つ以上の手術パラメータのユーザ選択を受信する。
【０００５】
本開示の別の態様によれば、眼科手術システム上に手術パラメータを表示する方法が、ユーザ選択可能な少なくとも二つの手術パラメータの選択を受信するステップを含む。本方法は、重なり合わない複数の表示セクターを含む表示を患者の眼の画像上に生成するステップを更に含む。各表示セクターはユーザ選択可能な複数の手術パラメータのうちの一つを表示する。
【図面の簡単な説明】
【０００６】
【図１】図１は、本発明の特定の実施形態に係る眼科手術システムを示す。
【図２】図２は、本発明の特定の実施形態に係る表示の例を示す。
【図３】図３は、本発明に係る眼科手術システムの様々な実施形態と関連して使用されうる選択スクリーンの例を示す。
【図４】図４は、本発明に係る手術パラメータを表示するための方法の例を示すフローチャートである。
【発明を実施するための形態】
【０００７】
図１は、本発明の特定の実施形態に係る眼科手術システム１００を示す。システム１００は、手術器具類（surgical instrumentation）１０２、ユーザインタフェース１０４及び手術用顕微鏡１０６を含む。手術器具類１０２は、眼科手術において使用される任意のタイプの構成要素又は機械を含むことができ、限定されるものではないが、ハンドピース、空気圧システム、レーザ源、照明源等を含む。斯かる構成要素は、眼科手術技術、例えば水晶体超音波乳化吸引術、硝子体網膜手術、レーザ屈折手術、又は当業者に公知の他の様々な任意の眼科手術法において使用されうる。ユーザインタフェース１０４は、任意の種類のキーボード、スイッチ、ノブ、ペダル、ボタン、ポインディング・デバイス、又は手術パラメータの選択をユーザから受信するための他の適切な構成要素を含むことができる。手術用顕微鏡１０６は、任意の態様の光学装置、電子装置、又は外科医に患者の眼のビューを提供する構成要素の集合体を含むことができる。
【０００８】
手術器具類１０２は、プロセッサ１０８の制御の下で動作し、手術パラメータ情報を保存するメモリ１１０も有する。プロセッサ１０８は、任意のマイクロプロセッサ、マイクロコントローラ、プログラマブル素子、若しくは他の装置、又は手術器具類１０２の制御のための命令を処理するための装置の集合体であってもよい。プロセッサ１０８は、ユーザインタフェース１０４からパラメータ選択を受信し、それに応じて手術パラメータの操作を制御する。また、プロセッサ１０８は手術中に手術パラメータをモニタリングする。メモリ１１０は、プロセッサによってアクセス可能な揮発性情報ストレージ又は不揮発性情報ストレージの任意の適切な形態であり、限定されるものではないが、光学メディア、電子メディア又は磁気メディアを含むことができる。
【０００９】
本発明に係る手術システムの様々な実施形態は表示装置２００を更に含む。表示装置２００は、視覚的に知覚可能な手術パラメータの表示を患者の眼の画像上に生成することができる、任意の適切な光学構成要素、電子構成要素、又はこれらの集合体を含む。例えば、表示装置２００は、患者の眼の表面上に光を投影して、眼の画像と共に手術用顕微鏡１０６によって捕捉される画像を生成することができる。別の例では、表示装置２００は、手術用顕微鏡１０６の光路内に表示を投影して、眼の画像の上に表示を作り出すことができる。斯かる実施形態は、表示が眼の画像と共に集束され又は拡大されることも可能とし、代替的に表示及び眼の画像が独立して集束され又はサイズ変更されることを可能としてもよい。更に別の例では、表示装置２００を手術用顕微鏡１０６の接眼レンズに組み込むことができる。表示装置２００は、手術パラメータのユーザ選択及びこれらパラメータの変動に基づいて手術中リアルタイムに手術パラメータの表示を調整することができるように、プロセッサ１０８及び／又はメモリ１１０と連絡し且つ／又はプロセッサ１０８及び／又はメモリ１１０を共有するように構成されてもよい。
【００１０】
図２は、本発明の特定の実施形態に係る表示２０２の例を示す。表示２０２は多数の表示セクター２０４Ａ、２０４Ｂ、・・・２０４ｎを含み、これらはここでは概して表示セクター２０４と称される。用語「表示セクター」は、これら部分の表示が、表示の中心に中心が合わされた円のセクターであって１８０°未満の中心角を有するセクターの範囲内に含まれるという事実を表す。表示セクターは重なり合わず、すなわち、任意の一つの手術パラメータについての表示のあらゆる量的な部分が、異なる手術パラメータを表示する別の表示セクター２０４内に円周方向において延在しない。このことは、回転アライメント（rotational alignment）を示す目盛のようなあらゆる量的な測定目盛を含む。しかしながら、手術パラメータ又は測定値とは無関係の単に視覚的な要素、例えば表示の内縁を示す円弧が、手術パラメータの量的な表示が別の表示セクター２０４内に延在しない限り、「重なり合う」と見なされることなく円周方向に延在してもよい。
【００１１】
表示２０２はユーザ選択可能な手術パラメータに従ってカスタマイズされうる。特定の実施形態では、手術パラメータの表示の特定の要素が、ユーザの好みに基づいて更にカスタマイズされてもよい。例えば、ユーザは、限定されるものではないが、電力レベル、水晶体超音波乳化吸引術についての真空圧力、灌流溶液についての底高（bottle height）、吸引、フットスイッチの位置、水晶体超音波乳化吸引術の工程、及び閉塞指示器等の水晶体超音波乳化吸引術及び／又は硝子体茎切除術の様々な手術パラメータから選択することができる。ユーザは、並べられたアナログ値又はデジタル値を有する手術パラメータ及び表示について、最小又は最大の表示値を選択することもできる。個々に選択されて調整されうる重なり合わないセクター２０４に表示２０２を分けることによって、表示２０２が不必要に込み入ることが防止され、それでもなお、容易に観察されるフォーマットで、外科医が所望する情報の全てを維持することができる。
【００１２】
手術パラメータは手術器具類に関連するあらゆる操作パラメータを含むことができ、このパラメータはユーザによって選択され且つ手術中にモニタリングされ又は選択される。パラメータの量的な表示は、数、範囲、及びオン・オフ若しくは他の二値指標、又は任意の適切な可視要素若しくは関連するパラメータ情報を伝達する要素の組合せでありうる。特定の実施形態では、リアルタイムの値を可変ゲージ（variable gauge）上に示すことができる。斯かるゲージは、図２において示されるもののような、（例えば鉛直方向の、水平方向の、円周方向の、径方向の）動く針、長さが値に基づいて変化するバー、又はバブルゲージ（bubble gauge）を含みうる。複数の表示フォーマットがユーザ選択可能であってもよい。
【００１３】
色が付けられた要素が、表示２０２において、視認性、コントラスト等を改善するのに使用されてもよい。例えば、図２に示された形態を採る、点灯された緑色の表示が、眼の画像の上に重ねられると、容易に視認されるだろう。ゲージは、色が変化してもよく、例えば、パラメータが許容されない範囲に動くと、レーザ源が動作中であると、又は外科医への他のいくつかの通知が必要とされうると、赤色に変化する。
【００１４】
表示２０２は表示上に方向を示すべく一つ以上の軸線を含んでもよい。例えば、表示２０２は、トーリックレンズが移植されるとき、非点収差補正のためにターゲット軸線を含むことができる。別の例では、軸線はレンズ移植のために所望の切開線を示してもよい。また、斯かる線の数字目盛及び／又は測定目盛の表示は、セクターを横切って円周方向に延在しないので、本明細書の便宜上、「重なり合わない」と見なされる。したがって、斯かる視覚要素の統合は、重なり合わない表示セクター２０４を決定する目的のためとみなされるべきではない。
【００１５】
図３は、本発明に係る眼科手術システム１００の様々な実施形態と併せて使用されうる選択スクリーン３００の例を示す。選択スクリーン３００は、手術器具類１０２を用いて行われるべき処置と、外科医と、処置が行われる患者とを確認させる。選択スクリーン３００は手術パラメータについての値も表示する。スクリーンは、ユーザが手術処置の前に表示２０２を適切に構成することができるように、パラメータ、種々のパラメータ等について値の範囲の選択を可能とする。
【００１６】
図４は、本発明に係る手術パラメータを表示するための方法の例を示すフローチャートである。ステップ４０２において、表示されるべき手術パラメータの選択を可能とする選択スクリーンが提供される。ステップ４０４において、表示されるべき手術パラメータの選択が受信される。手術パラメータの選択は、例えばどのパラメータが表示されるか、表示フォーマットが何であるか、様々な手術パラメータのどの範囲が表示されるか等を含むことができる。ステップ４０６において、手術パラメータが、重なり合わない表示セクター上に表示される。ステップ４０８において、手術パラメータが、手術処置の間、モニタリングされる。ステップ４１０において、表示が手術パラメータの変化に基づいて更新される。ステップ４０８、４１０が、本方法の終了時に、決定ステップ４１２によって示されるように、手術処置が完了するまで連続的に行われうる。
【００１７】
上述された実施形態が、示されるが、本発明を限定するものではない。また、本発明の原理に従って非常に多くの修正及び変更が可能であることが理解されるべきである。したがって、本発明の範囲は以下の特許請求の範囲によってのみ定義される。
【図１】
2013523409.tif 000003
【図２】
2013523409.tif 000004
【図３】
2013523409.tif 000005
【図４】
2013523409.tif 000006
【国際調査報告】
2013523409.tif 000007